(57)【要約】【課題】  感光性記録紙が搬送ロールに突入する際に、感光性記録紙の先端に加わるダメージを緩和すると共に、搬送ガイドの着脱性を確保する。【解決手段】  搬送ラック５０では、搬送ガイド８２に設けられたガイドリブ８３Ｂ、８３Ｃの搬送方向下流端部８３Ｂ´、８３Ｃ´が、水平方向に延出する小ロール１４Ｂ、１４Ｃの接線から搬送方向下流側へ突出している。これによって、感光性記録紙が小ロール１４Ｂ、１４Ｃに突入する角度が緩和される。また、搬送ガイド８２のフレーム１８への着脱を案内する着脱ガイド８４は、水平方向に対して搬送方向下流側へ約２５°傾斜しており、搬送ガイド８２が着脱される際、ガイドリブ８３Ｂ、８３Ｃの搬送方向下流端部８３Ｂ´、８３Ｃ´は小ロール１４Ｂ、１４Ｃから退避する。【選択図】  図６
2006030607.tif 000002
【特許請求の範囲】
【請求項１】
シート材を垂直方向に搬送する搬送ロールと、
前記搬送ロールを回転可能に支持するフレームと、
前記フレームに着脱可能とされ、シート材を前記搬送ロールのニップ部へ案内する搬送ガイドと、
前記搬送ガイドの前記フレームへの着脱を案内する着脱ガイドと、
を備え、処理槽へ装着される搬送ラックであって、
前記搬送ロールのニップ部へ延出する前記搬送ガイドの搬送方向下流端部が、水平方向に延出する前記搬送ロールの接線より搬送方向下流側へ突出し、
前記着脱ガイドは、前記搬送方向下流端部を前記搬送ロールと干渉しないように前記搬送ガイドに着脱させることを特徴とする搬送ラック。
【請求項２】
前記着脱ガイドは、前記搬送ガイドを斜め方向へ案内することを特徴とする請求項１に記載の搬送ラック。
【請求項３】
前記搬送ガイドを前記フレームに係止する係止手段を有することを特徴とする請求項２に記載の搬送ラック。
【発明の詳細な説明】
【技術分野】
【０００１】
本発明は、シート材を処理槽の中で垂直方向に搬送する搬送ラックに関する。
【背景技術】
【０００２】
写真感光材（シート材）を処理液中で垂直方向に搬送する搬送ラックでは、搬送ラックのメンテナンス性を高めるために、写真感光材を搬送ロールのニップ部に案内する搬送ガイドを、搬送ロールを支持するフレームに着脱可能としている（例えば、特許文献１参照）。
【０００３】
特許文献１では、搬送ガイドと搬送ロールが水平方向に重ならないように構成し、搬送ガイドをフレームに水平方向に着脱可能とすることで、搬送ガイドの着脱性を高めている。
【０００４】
しかしながら、図５に点線で図示したように、搬送ガイドと搬送ロールが水平方向に重ならないように構成したことによって、搬送ガイドの搬送方向下流端部と搬送ロールのニップ部との距離が遠くなっている。このため、カールした写真感光材の先端が搬送ロールへ突入する角度が大きくなり、写真感光材の先端に加わるダメージが大きくなる。
【特許文献１】特開２００１−２０９１６１号公報
【発明の開示】
【発明が解決しようとする課題】
【０００５】
本発明は上記事実を考慮してなされたものであり、シート材の先端が搬送ロールに突入する際にシート材の先端に加わるダメージを緩和すると共に、搬送ガイドのフレームへの着脱性を確保することを目的とする。
【課題を解決するための手段】
【０００６】
請求項１に記載の搬送ラックは、シート材を垂直方向に搬送する搬送ロールと、前記搬送ロールを回転可能に支持するフレームと、前記フレームに着脱可能とされ、シート材を前記搬送ロールのニップ部へ案内する搬送ガイドと、前記搬送ガイドの前記フレームへの着脱を案内する着脱ガイドと、を備え、処理槽へ装着される搬送ラックであって、前記搬送ロールのニップ部へ延出する前記搬送ガイドの搬送方向下流端部が、水平方向に延出する前記搬送ロールの接線より搬送方向下流側へ突出し、前記着脱ガイドは、前記搬送方向下流端部を前記搬送ロールと干渉しないように前記搬送ガイドに着脱させることを特徴とする。
【０００７】
請求項１に記載の搬送ラックでは、シート材が搬送ロールによって処理槽の中を垂直方向に搬送される。この際、シート材は、搬送ガイドによって搬送ロールのニップ部へ案内される。この搬送ガイドの搬送ロールのニップ部へ延出する搬送方向下流端部は、水平方向に延出する搬送ロールの接線より搬送方向下流側へ突出しており、シート材の先端が搬送ロールへ突入する角度が緩和されている。
【０００８】
ここで、搬送ロールは、フレームに回転可能に支持されており、このフレームに搬送ガイドが着脱可能とされている。搬送ガイドは、着脱ガイドによってフレームへの着脱を案内されるが、この際、搬送ロールと水平方向に重なった搬送ガイドの搬送方向下流端部が、搬送ロールと干渉しないようになっている。
【０００９】
これによって、シート材の先端が搬送ロールへ突入する際にシート材の先端に加わるダメージを緩和できると共に、搬送ガイドをフレームへ容易に着脱できる。
【００１０】
請求項２に記載の搬送ラックは、請求項１に記載の搬送ラックであって、前記着脱ガイドは、前記搬送ガイドを斜め方向へ案内することを特徴とする。
【００１１】
ここで、搬送ガイドの搬送方向上流端部と、この搬送ガイドの上流側の搬送ロールとの隙間は、搬送ガイド側にカールしたシート材の先端が入り込まないように狭くする必要がある。このため、搬送ガイドを着脱する際に、搬送ガイドを上方へスライドできる距離には限りがある。
【００１２】
そこで、請求項２に記載の搬送ラックでは、着脱ガイドが、搬送ガイドを斜め方向へ案内することによって、搬送ロールと水平方向に重なった搬送方向下流端部と、搬送ガイドの搬送方向上流端部が共に搬送ロールと干渉しなようになっている。
【００１３】
請求項３に記載の搬送ラックは、請求項２に記載の搬送ラックであって、前記搬送ガイドを前記フレームに係止する係止手段を有することを特徴とする。
【００１４】
請求項３に記載の搬送ラックでは、搬送ガイドが係止爪等の係止手段によってフレームに係止される。ここで、着脱ガイドによる搬送ガイドの案内経路が屈折していた場合、搬送ガイドをフレームに着脱する際に係止手段に捻りモーメントが作用する。このため、係止手段にかかるストレスが大きくなり、破損する虞もででくる。しかし、本発明の搬送ラックでは、着脱ガイドによる搬送ガイドの案内経路が直線状になっているので、係止手段にかかるストレスを抑制でき、係止手段の破損を防止できる。
【発明の効果】
【００１５】
本発明は上記構成にしたので、シート材の先端が搬送ロールに突入する際にシート材の先端に加わるダメージを緩和できると共に、搬送ガイドをフレームへ容易に着脱できる。
【発明を実施するための最良の形態】
【００１６】
以下に図面を参照しながら本発明の実施形態について説明する。
【００１７】
図１に示すように、本発明の搬送ラック５０を搭載したプリンタプロセサ１０は、画像入力装置１２、画像処理装置１３、プリンタ１５及びプロセサ１６を備えている。プリンタプロセサ１０を構成する各部は、図示しない配線を介して制御部１７に接続されており、この制御部１７によってプリンタプロセサ１０全体の動作が制御される。
【００１８】
画像入力装置１２は、写真フィルムに記録された画像の投影光をＣＣＤイメージセンサなどの撮像素子を用いて光電的に読み取ることで画像データを生成し、あるいはメモリカードなどの記録媒体に記録された画像データを読み出すことで、画像データを取得する。この画像データは画像処理装置１３に送られ、カラーバランス補正や濃度補正などの画像処理が行われる。画像処理が行われた画像データはプリンタ１５に送られ、後述する画像記録時に用いられる。
【００１９】
プリンタ１５は、所定長にカットされたカット記録紙を搬送しながら、画像データに基づいて強度変調された記録光にて画像記録を行うものであり、搬送方向の上流側から、供給部２０、裏印字部２２、レジスト部２４、画像記録部２６、副走査受け部２８、振分部３０、及び搬出部３２を備える。各部位には、駆動ローラとニップローラとから構成される搬送ローラ対が、カット記録紙の搬送路に沿って複数設けられている。
【００２０】
供給部２０には、ロール状に着かれた長尺の感光性記録紙３４を収納するマガジン２０ａ、２０ｂがセットされる。各マガジン２０ａ、２０ｂには、感光性記録紙３４を引き出して裏印字部２２に向けて搬送するための引出ローラ対２１ａ、２１ｂが設けられている。本実施例では２つのマガジン２０ａ、２０ｂが設けられているが、マガジンは１個でもよいし、３個以上でもよい。また、このマガジン２０ａ、２０ｂに収納される感光性記録紙３４には、図２に示すように、製造工程上のロスを無くすために、帯状記録紙の端部同士を接合した接合部８０が設けられている。そして、接合部８０には、接合部であることを示すスプライスホール８１が設けられている。このスプライスホールの幅L１は、例えば、２０ｍｍとされている。
【００２１】
マガジン２０ａ、２０ｂの出口から所定長だけ離れた位置に、感光性記録紙３４を切断するためのカッタ３６が備えられている。カッタ３６は、制御部１７からの制御信号を受けて駆動し、プリントサイズに合わせて所定長だけ送り出された感光性記録紙３４を切断してカット記録紙を形成する。プリントサイズとしては、例えば、Ｌ（８９Ｘ１２７）、パノラマ（８９Ｘ２５４）、２Ｌ（１２７×１７８）、８切り（１６５×２１６）、６切り（２０３×２５４）、４切り（２５４×３０５）などがあり、本実施例は、例えば、搬送方向と直交する方向の幅が８９、９５、  １０２、  １１７、  １２０、  １２７、  １３０、  １５２、１６５、１７８、２０３、２１０、２１６、２５４、３０５のカット記録紙に対応する。なお、単位は何れもｍｍである。また、カッタ３６の上流には、感光性記録紙３４に設けられたスプライスホール８１を検出して制御部１７に信号を出力するスプライスセンサ３７が設けられており、このスプライスセンサ３７がスプライスホール８１を検出すると、制御部１７は接合部８０が通過する所定の長さの感光性記録紙３４を送り出した後にカッタ３６を駆動する。このようにして形成された接合部８０を含むカット記録紙は、裏印字や画像記録が行われずに、そのままソータ６３に排出される。なお、本実施形態においては、ギロチン型のカッタとしているが、これに限らず回転刃を用いたロータリカッタなど、公知の手段を用いてもよい。
【００２２】
裏印字部２２は、写真の撮影日、プリント日、コマ番号、各種ＩＤなどのプリント情報を、カット記録紙の非記録面（露光面と反対側の面）に記録する裏印字ヘッド３８を備える。裏印字ヘッド３８としては、後に行われる湿式の現像処理に耐性のあるものであればドットインパクトヘッド、インクジェットヘッド、熱転写プリントヘッドなどの公知のプリントヘッドを用いることもできる。
【００２３】
レジスト部２４は、画像記録部２６における露光位置・角度ズレを防止するために、カット記録紙の傾き及び幅方向の位置を調整するレジスト用ローラ対４０と、このレジスト用ローラ対４０の前後に配置される複数の搬送ローラ対から構成される。レジスト用ローラ対４０による傾き及び幅方向位置を調整する方法は、チルトレジスト、トップレジスト、及びサイドレジストなどの公知の方法を用いることができる。
【００２４】
画像記録部２６は、露光ユニット４２、副走査ロ―ラ対４４、４６と、カット記録紙の通過を検出する記録紙センサ４５とから構成され、制御部１７によって動作制御される。露光ユニット４２は、画像処理装置１３と接続されており、カット記録紙の先端が通過したことを記録紙センサ４５が検出すると、画像データに基づいて強度変調された赤、緑、青の光ビームＬＢを主走査方向（搬送方向と直交する方向）に走査して、カット記録紙に画像を記録する。副走査ローラ対４４、４６は、光ビームＬＢによる露光位置を挟むように搬送方向の上流側及び下流側に配置され、カット記録紙を所定の速度で副走査方向（搬送方向と平行な方向）に搬送する。なお、副走査ロ―ラ対４４、４６のニップローラは、カット記録紙を挟持する位置とカット記録紙から離れる位置との間で切り替え可能とされており、図示しない位置センサでカット記録紙の先端または後端を検出したときに切り替えられる。これにより、カット記録紙の先端が下流側の副走査ローラ対４６に突き当たったり、後端が上流側の副走査ロ―ラ対４４から抜け出ることで、カット記録紙に過度の衝撃が加わることを防止する。
【００２５】
副走査受け部２８は、画像記録中に画像記録部２６から送り出されるカット記録紙の先端部を保持する複数のローラ対を備えており、画像記録部２６による搬送速度と同一の速度にてカット記録紙を下流側に送り出す。副走査受け部２８の各ローラ対は、駆動ローラと、ニップ解除可能なニップローラとからなり、画像記録中のカット記録紙の先端が通過した後にカット記録紙を挟持する。これにより、カット記録紙の先端が突き当たって搬送速度が変動することを防止する。
【００２６】
振分部３０は、単列で搬送されたカット記録紙を予め定められた第１速度で搬送しながら、これを主走査方向に２列に振り分けるものである。また、搬出部３２は、振分部３０から送られるカット記録紙を、プロセサ１６の処理速度に対応する第２速度にて搬送し、プロセサ１６へ送る。振分部３０と搬出部３２には、カット記録紙の在否を検出するためのセンサ部４８とセンサ部４９とがそれぞれに設けらる。このセンサ部４８、４９は、例えば、発光ダイオードとフォトダイオードとからなる光学センサであり、カット記録紙が通過する間はその出力が変化する。これにより、カット記録紙の先端又は後端の通過を検出することができる。
【００２７】
プロセサ１６は、現像処理部６０、乾燥処理部６１、振戻部６２、およびソータ６３から構成される。現像処理部６０には、搬送方向の上流側から順に、現像槽７０、漂白定着槽７１と、第１水洗槽７３、第２水洗槽７４、第３水洗槽７５、第４水洗槽７６からなる水洗槽７２とが設けられている。現像槽７０には現像液が、漂白定着槽７１には漂白定着液が、また、第１水洗槽７３〜第４水洗槽７６には洗浄水が、それぞれ所定量貯蔵されており、カット記録紙が、現像槽７０、漂白定着槽７１、および第１水洗槽７３〜第４水洗槽７６にそれぞれ設けられた搬送ラック５０、５２、５４、５６、５８の駆動力を受けて各処理槽７０〜７２内を搬送されることで、現像・定着・洗浄の各処理が行われる。
【００２８】
乾燥処理部６１は各処理槽７０〜７２の上方に配置されており、搬送ベルトと送風ダクトとから構成されている。送風ダクトは搬送ベルトに向けてヒータで熱せられた乾燥風を吹き出して、カット記録紙を搬送ベルト側に押し付ける。この状態で送風ダクトの上を通過させることで、カット記録紙に付着した洗浄水が除去される。そして、乾燥処理部６１を通過したカット記録紙は、プロセサ１６から排出される。
【００２９】
ここで、現像槽７０、漂白定着槽７２に設けられた本発明の搬送ラック５０について説明する。
【００３０】
図１、図３に示すように、搬送ラック５０は、縦方向に配列された４組の搬送ロール１４と、この４組の搬送ロールを後述する軸受６４を介して回転可能に支持するフレーム１８と、フレーム１８の下端部に回転可能に支持された折返しロール６８と、を備える。
【００３１】
搬送ロール１４は、大径の大ロール１４Ａと、この大ロール１４Ａの水平方向の両側に当接した、大ロール１４Ａよりも小径の２本の小ロール１４Ｂ、１４Ｃとで構成されている。小ロール１４Ｂが上流側に設けられ、小ロール１４Ｃが下流側に設けられている。
【００３２】
プリンタ１５から現像槽７０の上部へ搬送されたカット記録紙は、大ロール１４Ａと小ロール１４Ｂによって現像液の中を下方に狭持搬送され、折返しロール６８によって上方へ折返される。そして、カット記録紙は、大ロール１４Ａと小ロール１４Ｃによって上方へ狭持搬送され、現像槽７０と漂白定着槽７１の上部に設けられた折返しロール６９によって下方へ折返されて漂白定着槽７１へ入る。そして、漂白定着槽７１内で現像槽７０内と同様に搬送されて水洗槽７２へ送られる。
【００３３】
図３、図４に示すように、フレーム１８の大ロール１４Ａ間には、搬送ロール１４によって搬送されるカット記録紙をガイドする搬送ガイド７８が架渡されている。この搬送ガイド７８の上流側向きのガイド面７８Ａの下端部７８Ａ´、及び下流側向きのガイド面７８Ｂの上端部７８Ｂ´は、それぞれ下方、上方へ突出して大ロール１４Ａに近接している。これによって、搬送されるカット記録紙の先端が大ロール１４Ａに突入する角度が緩和されるので、カット記録紙の先端が大ロール１４Ａに突入する際に発生するカット記録紙の先端へのダメージを抑制できる。特に、折返しロール６８によって上方へ折返されたカット記録紙は大ロール１４Ａ側にカールしているので、カット記録紙を上方へ搬送する搬送路では効果的である。
【００３４】
また、フレーム１８の側壁１８Ａには、搬送ガイド７８と対向する搬送ガイド８２が着脱可能に取付けられている。この搬送ガイド８２は、２枚の搬送ガイド７８と対向しており、中央部には小ロール１４Ｂ、１４Ｃが収まるＵ字状の溝８２Ａが形成されている。
【００３５】
ここで、図４、図５に示すように、搬送ガイド８２の溝８２Ａより搬送方向上流側のガイド面８２Ｂには搬送方向に延出するガイドリブ８３Ｂが形成され、溝８２Ａより搬送方向下流側のガイド面８２Ｃには搬送方向に延出するガイドリブ８３Ｃが形成されている。このガイドリブ８３Ｂ、８３Ｃの搬送方向下流端部８３Ｂ´、８３Ｃ´は、それぞれ搬送方向下流側へ突出して小ロール１４Ｂ、１４Ｃに近接している。詳細には、図５に小ロール１４Ｂ側の搬送方向下流端部８３Ｂ´を例に取って示すように、搬送方向下流端部８３Ｂ´は、水平方向に延出する直径２０ｍｍの小ロール１４Ｂの接線（１点鎖線で図示）よりも搬送方向下流側へ（下方へ）２ｍｍ突出している。
【００３６】
このため、従来は、図中点線で示すように、ガイドリブ８３Ｂが小ロール１４Ｂと水平方向に重ならないように構成されていたことによって、カット記録紙の先端の小ロール１４Ｂのａ点への突入角度が９０°であったのに対し、本実施形態では、カット記録紙の先端が小ロール１４Ｂに突入する地点が、ａ点よりもニップ部Ｎに近いｂ点となり、このｂ点への突入角度が、６８．５４°と従来よりも小さくなっている。これによって、小ロール１４Ｂ側にカールして小ロール１４Ｂに突入するカット記録紙の先端に加わるダメージを、従来よりも緩和できる。
【００３７】
また、図３、図６に示すように、搬送ガイド８２の側壁８２Ｄとフレーム１８の側壁１８Ａの内側には、搬送ガイド８２のフレーム１８への着脱を案内する着脱ガイド８４が設けられている。この着脱ガイド８４は、ガイド面８２Ｂ側を案内する第１着脱ガイド８４Ａと、ガイド面８２Ｃ側を案内する第２着脱ガイド８４Ｂとで構成されている。
【００３８】
第１着脱ガイド８４Ａは、側壁８２Ｄのガイド面８２Ｂ側に設けられたロック爪８６と、側壁１８Ａの内側に設けられ、ロック爪８６を案内する案内溝８８とで構成されている。ロック爪８６は、Ｕ字状に折り曲げられた弾性変形可能な板状の部材で、案内溝８８と当接する面に係止用の突起８６Ａが形成されている。また、案内溝８８は、ロック爪８６が着脱される側が開口した溝で、突起８６Ａが係止する係止用の孔８８Ａが形成されている。
【００３９】
また、第２着脱ガイド８４Ｂは、側壁８２Ｄのガイド面８２Ｃ側に設けられた円柱状の軸９０と、側壁１８Ａに設けられ、軸９０を案内する長孔９２とで構成されている。
【００４０】
ここで、ガイドリブ８３Ｂ、８３Ｃの搬送方向下流端部８３Ｂ´、８３Ｃ´と小ロール１４Ｂ、１４Ｃは水平方向に重なっている。このため、搬送ガイド１８を、搬送方向下流端部８３Ｂ´、８３Ｃ´が小ロール１４Ｂ、１４Ｃと水平方向に重ならない位置まで退避させてから着脱しなければならない。しかし、ガイドリブ８３Ｂ、８３Ｃの搬送方向上流端部８３ｂ´、８３ｃ´と小ロール１４Ｂ、１４Ｃとの隙間は、カールしたカット記録紙の先端がこの隙間に入り込まないように狭くなっているので、搬送方向下流端部８３Ｂ´、８３Ｃ´、搬送方向上流端部８３ｂ´、８３ｃ´の両方を小ロール１４Ｂ、１４Ｃに干渉させることなく、搬送ガイド１８を上下方向にスライドさせることは困難である。
【００４１】
そこで、ロック爪８６、案内溝８８の上流側の壁８８Ｂ、及び、長孔９２を、水平方向に対して搬送方向下流側へ約２５°傾斜させ、搬送ガイド８２がフレーム１８の定位置（図中点線で図示）へ行き来する経路を約２５°傾斜させることで、ガイドリブ８３Ｂ、８３Ｃの搬送方向下流端部８３Ｂ´、８３Ｃ´を小ロール１４Ｂ、１４Ｃから退避させている。
【００４２】
このように、搬送ガイド１８の着脱経路がロック爪８６と同じ向きに直線状になっているので、ロック爪８６に捻りモーメントを作用させることなく、ロック爪８６の係止、係止解除を行うことができる。従って、ロック爪８６にかかるストレスを抑制でき、ロック爪８６の破損を防止できる。
【００４３】
次に、搬送ロール１４をフレーム１８に支持する構造について説明する。
【００４４】
図７、図８に示すように、大ロール１４Ａ、小ロール１４Ｂ、１４Ｃは同一形状の軸受６２を介してフレーム１８の側壁１８Ａに支持される。側壁１８Ａの水平方向の中央部には、大ロール１４Ａの支軸１４ａに取付けられる軸受６２が嵌め込まれる十字状の取付孔９４Ａが設けられている。
【００４５】
図９に示すように、軸受６２は、取付孔９４Ａに嵌め込まれる嵌合部６２Ａと、軸受６２が側壁１８Ａの内側に抜けないようにするためのフランジ部６２Ｂとで構成され、大ロール１４Ａの支軸１４ａ（図７、８参照）が挿入される円孔６２Ｃが、嵌合部６２Ａとフランジ部６２Ｂを貫通している。嵌合部６２Ａは、中央部に円孔６２Ｃが穿設された矩形柱状の立体６２Ｄと、立体６２Ｄから円孔６２Ｃの径方向に突出した２片の板材６２Ｅとで十字状に構成されており、図７、８、図１０（Ｂ）に示すように、２片の板材６２Ｅを横向きにして側壁１８Ａの外側から取付孔９４Ａに嵌め込まれる。
【００４６】
また、図９に示すように、フランジ部６２Ｂは、中心に円孔６２Ｃが穿設された円柱体６２Ｆの周面前周にＵ字溝６２Ｇが形成されて構成されている。
【００４７】
また、図７、図８に示すように、側壁１８Ａの取付孔９４Ａの水平方向の両側には、取付孔９４Ｂ、９４Ｃが設けられている。取付孔９４Ｂ、９４Ｃは、水平方向に延出する長方形状の長孔で、水平方向の外側が開口している。ここで、図９、図１０（Ａ）に示すように、軸受６２は、板材６２Ｅとフランジ部６２Ｂとの隙間が側壁１８Ａの板厚より僅かに広くなっており、図７、図１０（Ａ）に示すように、軸受６２を、２片の板材６２Ｅを縦向きにして、板材６２Ｅとフランジ部６２Ｂとで側壁１８Ａを挟み込むようにして取付孔９０Ｂ、９０Ｃに挿入できるようになっている。また、軸受６２は、取付孔９４Ｂ、９４Ｃ内で水平方向に移動可能となっている。
【００４８】
ここで、搬送ロール１４をフレーム１８に組付ける方法を説明する。
【００４９】
図７、図１０に示すように、まず、大ロール１４Ａの支軸１４ａを取付孔９０Ａに挿し込み、次に、軸受６２を板材６２Ｅを横向きにして側壁１８Ａの外側から取付孔９０Ａに挿入し、支軸１４ａを軸受６２の円孔６２Ｃに挿入する。そして、小ロール１４Ｂ、１４Ｃの支軸１４ｂ、１４ｃに軸受６２を挿入し、この状態で、軸受６２を、板材６２Ｅを縦向きにして取付孔９０Ｂ、９０Ｃに挿入する。
【００５０】
次に、小ロール１４Ｂ、１４Ｃを大ロール１４Ａに付勢するための引張コイルバネ９２を取付ける。この引張コイルバネ９２は、両端部にフック９２Ａ、９２Ｂが設けられた直線状のもので、取付の際には、引張コイルバネ９２を曲げてフック９２Ａをフック９２Ｂに掛けて環状にし、そして、３つの軸受６２のＵ字溝６２Ｇに掛ける。これによって、大ロール１４Ａ、小ロール１４Ｂ、１４Ｃ、及び３つの軸受６２は、フレーム１８から落下しなくなるので、この後のギア９５、９６の取付が容易になる。
【００５１】
なお、図１１に示すように、フレーム１８は、両側の側壁１８Ａ、搬送ロール１４間に架渡された３つの搬送ガイド７８、折返しロール６８によって搬送されるカット記録紙をガイドする搬送ガイド９８、側壁１８Ａの上部に架渡された上部フレーム１８Ｂとで構成されているが、３面スライド金型を用いることによってこれらの構成部品を一体で成形している。これによって、フレーム１８を、別々に成形された各構成部品を組付けて構成する場合と比して部品コストを格段に低減でき、組付けに要する作業工数を削減できる。
【００５２】
なお、本実施形態では、図６に示すように、搬送ガイド８２を着脱ガイド８４によって斜め方向に案内する構成を例に取って説明したが、ガイドリブ８３Ｂ、８３Ｃの搬送方向上流端部８３ｂ´、８３ｃ´と小ロール１４Ｂ、１４Ｃとの隙間を広く取ることができ、且つ、搬送ガイド８２をフレーム１８に係止するのではなくネジ止め等で固定するのであれば、搬送ガイド８２の着脱経路は斜め方向に限られず、水平方向と上下方向を組合せたものであっても良い。
【図面の簡単な説明】
【００５３】
【図１】本発明の搬送ラックを備えるプリンタプロセサの構成の概略を示す図である。
【図２】感光性記録紙の接合部を示す平面図および側面図である。
【図３】本発明の搬送ラックを示す斜視図である。
【図４】本発明の搬送ラックの搬送ガイドの構造を示す断面図である。
【図５】本発明の搬送ラックの搬送ガイドの構造を示す断面図である。
【図６】本発明の搬送ラックの搬送ガイドをフレームに着脱する方法を示す側面図である。
【図７】本発明の搬送ラックの分解斜視図である。
【図８】本発明の搬送ラックを示す斜視図である。
【図９】本発明の搬送ラックにおいて、搬送ロールをフレームに支持する軸受を示す斜視図である。
【図１０】本発明の搬送ラックにおいて、（Ａ）は、小ロールの取付状態、（Ｂ）は大ロールの取付状態を示す断面図である。
【図１１】本発明の搬送ラックのフレームを示す斜視図である。
【符号の説明】
【００５４】
１４    搬送ロール
１８    フレーム
５０    搬送ラック
８２    搬送ガイド
８３Ｂ´搬送方向下流端部
８３Ｃ´搬送方向下流端部
８４    着脱ガイド
８６    ロック爪（係止手段）
８８Ａ  係止用の孔（係止手段）
Ｎ      ニップ部
【図１】
2006030607.tif 000003
【図２】
2006030607.tif 000004
【図３】
2006030607.tif 000005
【図４】
2006030607.tif 000006
【図５】
2006030607.tif 000007
【図６】
2006030607.tif 000008
【図７】
2006030607.tif 000009
【図８】
2006030607.tif 000010
【図９】
2006030607.tif 000011
【図１０】
2006030607.tif 000012
【図１１】
2006030607.tif 000013